【手続補正書】
【提出日】平成20年4月4日(2008.4.4)
【手続補正１】
【補正対象書類名】明細書
【補正対象項目名】特許請求の範囲
【補正方法】変更
【補正の内容】
【特許請求の範囲】
【請求項１】トランスポンダー６ａがトランスポンダーウエブ６により供給されて、片面がラベルで被われるようにした、トランスポンダーを備えたデータキャリアを製造する方法において、
前記トランスポンダー６ａが、前記ラベルと一体化される前に、分離されて一線に揃えられるようにし、前記トランスポンダー６ａは、前記ラベルと一体にされる前に機能テストされるようにしたことを特徴とするデータキャリアの製造方法。
【請求項２】使用に供し得ないトランスポンダー６ａは分離されて製造工程から除外されるようにしたことを特徴とする請求項１に記載の方法。
【請求項３】前記トランスポンダーウエブ６は、ローラー１５に向けて放射方向へ供給されて、該ローラー上に保持され、そして最先のトランスポンダー６ａがトランスポンダーウエブ６から切り取られるようになっていることを特徴とする請求項１又は２に記載の方法。
【請求項４】前記ローラー１５には、トランスポンダーウエブ６を吸引によって引き付けるか又は跳ね返すための正圧または負圧を適用する孔１５ａが設けられていることを特徴とする請求項３に記載の方法。
【請求項５】プレスローラー１９が、分離されて一線上に保持されたトランスポンダー６ａの方向へラベルウエブ５を押し付けるようになっていることを特徴とする請求項１乃至４の何れかに記載の方法。
【請求項６】トランスポンダーウエブ６に、位置監視と修正を可能にするマークが設けられていることを特徴とする請求項１乃至５の何れかに記載の方法。
【請求項７】両面粘着剤ウエブ７から切り取られたブランク７ａが、ラベルに付着しているトランスポンダー６ａに当てがわれるようになっていることを特徴とする請求項１乃至６の何れかに記載の方法。
【請求項８】前記両面粘着剤ウエブ７はエンドレスストリップの状態で切断送り部署２２へ供給されて、トランスポンダー６ａとラベルの印刷面とは反対側の面が、両面粘着剤で被われるようになっていることを特徴とする請求項１乃至７に何れかに記載の方法。
【請求項９】トランスポンダー６ａを付着したラベルウエブ５は、基板に粘着剤で接合されるようになっていることを特徴とする請求項１乃至８の何れかに記載の方法。
【請求項１０】前記基板は、トランスポンダー６ａを付着したラベルウエブ５に、ウエブ状素材３１として供給されるようになっていることを特徴とする請求項９に記載の方法。
【請求項１１】製造されたデータキャリアは、パンチによりデータキャリアウエブから少なくとも一部が切り離されるようになっていることを特徴とする請求項１乃至１０の何れかに記載の方法。
【請求項１２】ラベルを少なくとも一つのトランスポンダー６ａと一体化することにより、トランスポンダーを備えたデータキャリアを製造する方法において、
複数のラベルを有するラベルウエブと、
各々が複数のトランスポンダーを有する複数のトランスポンダーウエブ６と、
前記ラベルウエブ５を駆動するためのラベルウエブ駆動ユニットと、
前記複数のトランスポンダーウエブ６の各々を個々に駆動するためのトランスポンダーウエブ駆動ユニットと、
前記複数のトランスポンダーウエブ６の各々から最先のトランスポンダー６ａを切り取るための切断ユニットと、
コントローラーユニットと、を含み、
前記複数のトランスポンダーウエブ６の各々の最先のトランスポンダー６ａは、ラベルと一体化される前に、分離されて一線に揃えられるような間欠的なやり方で作動するように、前記コントローラーユニットは、前記ラベルウエブ駆動ユニットと、前記トランスポンダーウエブ駆動ユニットと、前記切断ユニットとを制御するようにした、データキャリアの製造方法。
【請求項１３】ラベルウエブ５を供給する手段と、
互いに隣接しているトランスポンダーウエブ６を供給する手段と、
トランスポンダーウエブ６からトランスポンダー６ａを切って、それを分離し、ラベルウエブ５へ個々に搬送する、トランスポンダーウエブ６からトランスポンダー６ａを切断分離するための接合部署１１と、を含んだ、トランスポンダーを備えたデータキャリアを製造するための装置において、前記接合部署の上流側には、前記トランスポンダー６ａの機能テストを行うためのトランスポンダー検査装置が設けられていることを特徴とするデータキャリアの製造装置。
【請求項１４】前記接合部署１１は負圧によってトランスポンダーウエブ６を固定するローラー１５を含んでいることを特徴とする請求項１３に記載の装置。
【請求項１５】前記ローラー１５の領域に、トランスポンダーウエブ６から各最先のトランスポンダー６ａを分離する切断ユニット１７が配置されていることを特徴とする請求項１４に記載の装置。
【請求項１６】前記接合部署１１は、分離されて一線に揃えられたトランスポンダー６ａの先端側と一緒にラベルウエブ５をローラー１５に押し付けてトランスポンダー６ａをラベルウエブ５と共に搬送するため、ローラー１５の方向へ変位可能なプレスローラー１９を含んでいることを特徴とする請求項１４又は１５に記載の装置。
【請求項１７】不良のトランスポンダー６ａが前記トランスポンダー検査装置により認知されたとき、前記ローラー１５の制御装置がその不良トランスポンダー６ａを廃物収集容器２０の中に放逐させるようになっていることを特徴とする請求項１４乃至１６の何れかに記載の装置。
【請求項１８】トランスポンダーを備えたデータキャリアを製造する装置において、
一つの粘着面を有するラベルのラベルウエブ５を供給する手段と、
互いに隣接しているトランスポンダーのトランスポンダーウエブ６を供給する手段と、
トランスポンダーウエブ６からトランスポンダー６ａを切って、それを分離し、ラベルウエブ５に対面する搬送位置へ個々に搬送する、トランスポンダーウエブ６からトランスポンダー６ａを切断分離するための接合部署１１と、を含み、
プレスローラー１９が設けられており、前記ラベルウエブ５の粘着面を用いて前記トランスポンダー６ａを運ぶために、前記ラベルウエブ５は、一線に揃えられた個々の前記トランスポンダー６ａと共に、前記プレスローラー１９により搬送位置に向かって変位可能であることを特徴とするデータキャリアの製造装置。
【請求項１９】両面粘着剤ウエブ７が設けられていることを特徴とする請求項１３乃至１８の何れかに記載の装置。
【請求項２０】接合部署１１の下流側にラベルウエブ５の移動運動方向に変位可能な切断送り部署２２が配置されていて、該切断送り部署において、ラベルウエブ５に付着しているトランスポンダー６ａが両面粘着剤ウエブ７のブランク７ａで被われるようになっていることを特徴とする請求項１３乃至１９の何れかに記載の装置。
【請求項２１】前記切断送り部署２２は、トランスポンダー６ａが付着しているラベルウエブ５を、分離されたブランク７ａに対して移動せしめ得る押圧ローラー２６を含んでいることを特徴とする請求項２０に記載の装置。
【請求項２２】ウエブ５，６，７，３０の少なくとも一つには、該ウエブの上にあるマークを認知するためコントロラーに接続された装置１４が割り当てられていることを特徴とする請求項１３乃至２１の何れかに記載の装置。
【請求項２３】ウエブ５，６，７，３０を移動させるために設計された駆動装置が、循環するように駆動され且つコントロラーによって同期せしめられるようになっていることを特徴とする請求項１３乃至２２の何れかに記載の装置。
【請求項２４】前記接合部署１１の少なくとも下流側には積層部が設けられていて、該積層部にウエブ状の基板が供給されるようになっていることを特徴とする請求項１３乃至２３の何れかに記載の装置。
【請求項２５】前記基板はデータキャリアの下側に限定され、且つラベルウエブ５の印刷された側はデータキャリアの上側に限定されるようになっていることを特徴とする請求項２４に記載の装置。
【請求項２６】前記接合部署１１の少なくとも下流側には均一化部署が設けられていて、該均一化部署にはパンチによりデータキャリアウエブ３０から少なくとも部分的に製造されたデータキャリアを分割するために、パンチユニットが配置されていることを特徴とする請求項１３乃至２５の何れかに記載の装置。
【請求項２７】トランスポンダーを備えたデータキャリアを製造するための装置において、
少なくとも一つのラベルウエブ５を供給する手段と、
隣接した複数のトランスポンダーウエブ６を供給する手段と、
前記複数のトランスポンダーウエブ６の各々から最先のトランスポンダー６ａを分離し、複数のトランスポンダーウエブ６の各々からの一つのトランスポンダーを、少なくとも一つのラベルウエブ５に対面する搬送位置へと共同的に搬送するための接合部署１１と、を含み、
搬送されたこれらトランスポンダー６ａを、少なくとも一つのラベルウエブ５により、同時に摘み上げることを特徴とするデータキャリアの製造装置。